(57)【特許請求の範囲】
【請求項１】
電力の利用状況に関わる利用情報を取得する電力利用情報取得部と、
電力利用に関わる報知内容の報知動作を許可する場合は第１状態、前記報知内容の報知動作を許可しない場合は第２状態にセットされるフラグの状態を記憶するフラグ管理部と、
前記報知内容を報知するか否かの判定に用いる報知判定条件、及び、前記フラグのリセット条件を管理する判定条件管理部と、
前記利用情報と前記報知判定条件を比較して前記報知判定条件が成立した場合に、前記フラグ管理部に記憶された前記フラグの状態が前記第１状態であれば前記報知内容の報知命令を出力し、前記フラグの状態が前記第２状態であれば前記報知内容の報知命令を出力しない報知判定部と、
前記リセット条件が成立すると、前記フラグ管理部に記憶された前記フラグの状態を前記第１状態にし、リセット後に前記報知内容が報知されると、前記フラグ管理部に記憶された前記フラグの状態を前記第２状態にするフラグ判定部と、
前記報知判定部から報知命令が出力されると、前記報知内容を報知装置に出力する出力部とを備え、
前記判定条件管理部は、前記リセット条件として、前記報知内容に対応して設定されたリセット値を前記利用情報が前記報知判定条件と反対方向に超えるという条件を含むように構成されたことを特徴とする電力管理装置。
【請求項２】
前記利用情報は、電源から利用した消費電力又は消費電力量の何れかであることを特徴とする請求項１記載の電力管理装置。
【請求項３】
前記電力利用情報取得部は、取得した前記利用情報を管理テーブル内に時系列にしたがって記憶させており、
前記管理テーブルを参照し、前記利用情報の変化傾向に基づいて決定したリセット値を前記判定条件管理部に設定するリセット条件設定部を備えたことを特徴とする請求項１又は２記載の電力管理装置。
【請求項４】
前記判定条件管理部は、前記リセット条件として、現在時刻が、前記報知内容に対応して設定されたリセット期限に達したという条件、及び、前記フラグを前記第１状態にしてから、前記報知内容に対応して設定されたリセット期間が経過したという条件のうち、少なくとも何れか一方の条件を含むように構成されたことを特徴とする請求項１〜３の何れか１項に記載の電力管理装置。
【請求項５】
電力の利用状況に関わる報知内容を報知する報知装置と、前記報知装置に報知内容の報知データを出力して前記報知装置に報知動作を行わせる電力管理装置とで構成され、
前記電力管理装置が、電力の利用状況に関わる利用情報を取得する電力利用情報取得部と、電力利用に関わる報知内容の報知動作を許可する場合は第１状態、前記報知内容の報知動作を許可しない場合は第２状態にセットされるフラグの状態を記憶するフラグ管理部と、前記報知内容を報知するか否かの判定に用いる報知判定条件、及び、前記フラグのリセット条件を管理する判定条件管理部と、前記利用情報と前記報知判定条件を比較して前記報知判定条件が成立した場合に、前記フラグ管理部に記憶された前記フラグの状態が前記第１状態であれば前記報知内容の報知命令を出力し、前記フラグの状態が前記第２状態であれば前記報知内容の報知命令を出力しない報知判定部と、前記リセット条件が成立すると、前記フラグ管理部に記憶された前記フラグの状態を前記第１状態にし、リセット後に前記報知内容が報知されると、前記フラグ管理部に記憶された前記フラグの状態を前記第２状態にするフラグ判定部と、前記報知判定部から報知命令が出力されると、前記報知内容を前記報知装置に出力する出力部とを備え、前記判定条件管理部は、前記リセット条件として、前記報知内容に対応して設定されたリセット値を前記利用情報が前記報知判定条件と反対方向に超えるという条件を含むように構成されたことを特徴とする電力管理システム。
【発明の詳細な説明】
【技術分野】
【０００１】
本発明は、電力の利用状況を管理して、利用状況をユーザに通知する電力管理装置及びそれを用いた電力管理システムに関するものである。
【背景技術】
【０００２】
従来、家庭内に設置されて、電力、ガス、水道などのエネルギー供給の安全監視を行うメータや各種のセンサから異常情報を受信したり、宅内に設置された機器から制御情報などの情報を受信すると、受信した情報を表示する情報端末装置が提案されている（例えば特許文献１参照）。
【０００３】
上記特許文献に記載された情報端末装置では、取得した情報の内容に応じて予め優先度が設定されており、優先度に応じた報知パターンでＬＥＤを点灯させて、受信した情報の報知動作を行っていた。
【先行技術文献】
【特許文献】
【０００４】
【特許文献１】特開２００４−２３１０６号公報
【発明の概要】
【発明が解決しようとする課題】
【０００５】
上述の情報端末装置では、あるイベントが発生すると、そのイベントに応じた表示を行っており、発生したイベントの内容を視覚的に表示してユーザーに報知していた。ここで、同じイベントが短期間に繰り返し発生した場合、そのイベントの内容を報知する表示画面が繰り返し表示されることになる。
【０００６】
また従来、宅内の負荷で消費される使用電力量を監視して、ユーザに節電を促すメッセージを出力する電力管理装置が提案されており、例えば使用電力量が所定の判定値を下回ると、「もう少しで買電ゼロ」といった表示画面を一定時間表示させていた。ここで、図７に示すように使用電力量が判定値（例えば５００Ｗ）の前後で短期間に変化すると、消費電力が判定値を下回る度（時刻ｔ２１，ｔ２２，ｔ２３）に上記の表示画面が表示されることになり、ユーザが煩わしさを感じてしまうという問題があった。
【０００７】
本発明は上記課題に鑑みて為されたものであり、その目的とするところは、短期間に同じ内容の報知が繰り返されることでユーザが感じる煩わしさを低減した電力管理装置及びそれを用いた電力管理システムを提供することにある。
【課題を解決するための手段】
【０００８】
本発明の電力管理装置は、電力利用情報取得部と、フラグ管理部と、判定条件管理部と、報知判定部と、フラグ判定部と、出力部とを備える。電力利用情報取得部は、電力の利用状況に関わる利用情報を取得する。フラグ管理部は、電力利用に関わる報知内容の報知動作を許可する場合は第１状態、報知内容の報知動作を許可しない場合は第２状態にセットされるフラグの状態を記憶する。判定条件管理部は、報知内容を報知するか否かの判定に用いる報知判定条件、及び、フラグのリセット条件を管理する。報知判定部は、利用情報と報知判定条件を比較して報知判定条件が成立した場合に、フラグ管理部に記憶されたフラグの状態が第１状態であれば報知内容の報知命令を出力し、フラグの状態が第２状態であれば報知内容の報知命令を出力しない。フラグ判定部は、リセット条件が成立すると、フラグ管理部に記憶されたフラグの状態を第１状態にし、リセット後に報知内容が報知されると、フラグ管理部に記憶されたフラグの状態を第２状態にする。出力部は、報知判定部から報知命令が出力されると、報知内容を報知装置に出力する。判定条件管理部は、リセット条件として、報知内容に対応して設定されたリセット値を利用情報が報知判定条件と反対方向に超えるという条件を含むように構成される。
【０００９】
この電力管理装置において、利用情報は、電源から利用した消費電力又は消費電力量の何れかであることも好ましい。
【００１０】
この電力管理装置において、電力利用情報取得部は、取得した利用情報を管理テーブル内に時系列にしたがって記憶させており、管理テーブルを参照し利用情報の変化傾向に基づいて決定したリセット値を判定条件管理部に設定するリセット条件設定部を備えることも好ましい。
【００１１】
この電力管理装置において、判定条件管理部は、リセット条件として、現在時刻が、報知内容に対応して設定されたリセット期限に達したという条件、及び、フラグを第１状態にしてから、報知内容に対応して設定されたリセット期間が経過したという条件のうち、少なくとも何れか一方の条件を含むように構成されることも好ましい。
【００１２】
本発明の電力管理システムは、電力の利用状況に関わる報知内容を報知する報知装置と、報知装置に報知内容の報知データを出力して報知装置に報知動作を行わせる電力管理装置とで構成される。電力管理装置は、電力利用情報取得部と、フラグ管理部と、判定条件管理部と、フラグ判定部と、出力部とを備える。電力利用情報取得部は、電力の利用状況に関わる利用情報を取得する。フラグ管理部は、電力利用に関わる報知内容の報知動作を許可する場合は第１状態、報知内容の報知動作を許可しない場合は第２状態にセットされるフラグの状態を記憶する。判定条件管理部は、報知内容を報知するか否かの判定に用いる報知判定条件、及び、フラグのリセット条件を管理する。報知判定部は、利用情報と報知判定条件を比較して報知判定条件が成立した場合に、フラグ管理部に記憶されたフラグの状態が第１状態であれば報知内容の報知命令を出力し、フラグの状態が第２状態であれば報知内容の報知命令を出力しない。フラグ判定部は、リセット条件が成立すると、フラグ管理部に記憶されたフラグの状態を第１状態にし、リセット後に報知内容が報知されると、フラグ管理部に記憶されたフラグの状態を第２状態にする。出力部は、報知判定部から報知命令が出力されると、報知内容を報知装置に出力する。判定条件管理部は、リセット条件として、報知内容に対応して設定されたリセット値を利用情報が報知判定条件と反対方向に超えるという条件を含むように構成される。
【発明の効果】
【００１３】
本発明によれば、短期間に同じ内容の表示が繰り返されることでユーザが感じる煩わしさを低減した電力管理装置を提供することができる。
【００１４】
また、この電力管理装置を用いることにより、短期間に同じ内容の表示が繰り返されることでユーザが感じる煩わしさを低減した電力管理システムを提供することができる。
【図面の簡単な説明】
【００１５】
【図１】本実施形態の電力管理装置の概略構成を示すブロック図である。
【図２】同上を用いた配電システムのシステム構成図である。
【図３】同上の報知動作を説明するフローチャートである。
【図４】同上の報知動作を説明するタイミングチャートであり、（ａ）は消費電力、（ｂ）はフラグの状態を示す。
【図５】同上の他の形態を示す概略的なブロック図である。
【図６】同上の報知動作を説明するタイミングチャートである。
【図７】従来例の報知動作を説明するタイミングチャートである。
【発明を実施するための形態】
【００１６】
本実施形態の電力管理装置は、例えば住宅のような電力需要家における消費電力を管理するものであり、図２に示すような電力管理システムに用いられる。
【００１７】
この電力管理システムでは、宅内の交流負荷に対して交流電力を供給する交流配電系統１０と、宅内の直流負荷に対して直流電力を供給する直流配電系統２０が設けられている。
【００１８】
交流配電系統１０は、商用交流電源ＡＣから交流電力が供給される交流分電盤１１を備えている。交流分電盤１１には、商用交流電源ＡＣからの電力線Ｌ１が一次側に接続される主幹ブレーカ１２と、主幹ブレーカ１２の二次側に接続された複数の分岐ブレーカ１３が収納されている。分岐ブレーカ１３によって分岐された分岐回路Ｌ２には、それぞれ、交流電力の供給を受けて動作する交流負荷１４が接続されている。
【００１９】
この電力管理システムでは、太陽電池３０や、太陽電池３０による発電電力の余剰分を蓄電する蓄電池３１が設けられている。パワーコンディショナ３２は、太陽電池３０又は蓄電池３１から供給される直流電力を所定電圧値の直流電圧に変換し、直流配電系統２０に供給する。またパワーコンディショナ３２は、太陽電池３０による発電電力を、商用電源系統と電圧値及び周波数が略同じ交流電力に変換し、連系ブレーカ３３を介して交流配電系統１０に供給する。尚、連系ブレーカ３３は、太陽電池３０及びパワーコンディショナ３２からなる分散電源を、商用電力系統に連係又は解列させるために用いられる。また、パワーコンディショナ３２は、交流配電系統１０から供給される交流電力を直流に変換して直流配電系統２０に供給する機能も備えている。
【００２０】
一方、直流配電系統２０は、パワーコンディショナ３２から直流電力が供給される直流分電盤２１を備えている。直流分電盤２１には複数の直流ブレーカ（図示せず）が収納されており、直流ブレーカで分岐された直流配線Ｌ３には直流で動作する直流機器が接続されている。尚、直流機器としては、負荷（例えば直流電力で点灯する照明負荷２４）を操作するための操作スイッチ２２や、操作スイッチ２２の操作に応じて照明負荷２４を点灯又は消灯させるリレーユニット２３や、防犯・防災用のセンサ２５などがある。これらの直流機器は、直流配線Ｌ３を介して低速の電力線搬送通信を行うことで、相互に信号を送受信している。
【００２１】
電力管理装置１は、商用電源系統から供給されて、宅内の負荷で消費される消費電力（すなわち、商用電力系統からの買電電力）の情報を交流分電盤１１から取得するとともに、太陽電池３０の発電量や蓄電池３１の蓄電量をパワーコンディショナ３２から取得する。このように電力管理装置１は、電力の利用状況に関わる利用情報を取得して、電力利用に関わる報知内容を表示装置４０に表示させる。図１は電力管理装置１の概略構成を示すブロック図であり、電力管理装置１は、電力利用情報取得部２と、判定部３と、表示データ出力部４と、判定条件管理部５と、フラグ管理部６と、タイマ７とを主要な構成として備える。
【００２２】
電力利用情報取得部２は、交流分電盤１１内に設けられた電力計測部１１ａや直流分電盤２１から電力の利用状況に関わる利用情報を取り込み、取り込んだ利用情報をメモリに一定期間記憶させる。本実施形態では、電力利用情報取得部２は、電力計測部１１ａから消費電力の計測値を取得するとともに、直流分電盤２１を介してパワーコンディショナ３２から太陽電池３０の発電量や蓄電池３１の蓄電残量を取り込み、取り込んだ利用情報を管理している。尚、電力利用情報取得部２と電力計測部１１ａの間の通信、電力利用情報取得部２と直流分電盤２１との間の通信は有線でも無線でもよく、従来周知の通信方式により通信が行われる。
【００２３】
判定部３は報知判定部３ａとフラグ判定部３ｂとで構成される。
【００２４】
報知判定部３ａは、電力利用情報取得部２が取り込んだ利用情報と、判定条件管理部５に設定された報知判定条件とを比較し、報知判定条件が成立しているか否かの判定を行う。報知判定条件が成立していれば、報知判定部３ａは、フラグ管理部６からフラグの状態を読み込み、報知動作の可否を判定する。フラグの状態値がＯＦＦ（第１状態：報知許可）の場合、報知判定部３ａは、表示データ出力部４に報知命令を出力し、電力利用に関わる報知内容を表示装置４０に表示させる。一方、フラグの状態値がＯＮ（第２状態：報知禁止）の場合、報知判定部３ａは、表示データ出力部４へ報知命令を出力せず、報知判定条件が成立していても、報知内容を表示させない。
【００２５】
フラグ判定部３ｂは、後述するフラグ管理部６に記憶されているフラグの値を書き換える。報知内容が複数ある場合、報知内容毎に報知動作を許可するか否かのフラグが設けられ、フラグ管理部６は各フラグの状態を記憶している。フラグ判定部３ｂでは、判定条件管理部５に設定された後述のリセット条件が成立したか否かの判定を行い、リセット条件が成立すると、フラグ管理部６に記憶されたフラグをリセットし、フラグの状態をＯＦＦにする。またフラグ判定部３ｂは、フラグリセット後に当該フラグに対応する報知内容が一度でも報知されると、フラグ管理部６に記憶されたフラグの状態をＯＮにセットする。
【００２６】
表示データ出力部４は、報知判定部３ａから報知命令が入力されると、対応する報知内容の表示データを表示装置４０に出力し、表示装置４０に報知内容を一定時間表示させる。表示装置４０では、報知内容を表示後一定時間が経過すると、報知内容の表示を停止させているが、報知内容の表示を見たユーザが、表示装置４０の備える操作手段を用いて所定の確認操作を行うと、報知内容の表示を停止させるようにしてもよい。表示装置４０としては、例えば住宅内の壁面に設置された情報表示端末４１や、ネットワーク通信機能を備えたテレビ４２が使用される。情報表示端末４１は、住宅内の設備機器用に構築されたＬＡＮ（Local Area Network）を介して電力管理装置１に接続されている。またテレビ４２は、ユーザが使用するコンピュータやプリンタなどの機器を接続するために宅内に構築されたＬＡＮに接続され、ルータ４５を介して電力管理装置１に接続される。ここにおいて、表示データ出力部４と表示装置４０（情報表示端末４１やテレビ４２など）との間の通信は有線でも無線でもよく、従来周知の通信方式により通信が行われる。
【００２７】
判定条件管理部５には、宅内での電力利用に関わる報知内容を報知するか否かの判定に用いられる報知判定条件と、報知内容の報知を許可するか否かを表すフラグのリセット条件が設定されている。報知内容は複数種類あり、判定条件管理部５には各報知内容に対応した報知判定条件と、各報知内容に対応したフラグのリセット条件が設定されている。ここで、報知判定条件としては、計測値（例えば電源からの消費電力）と比較される判定値と、計測値が判定値を超える方向を示す判定方向（計測値が判定値を下回る立下り方向、又は、計測値が判定値を上回る立上り方向）とが設定されている。例えば、電源からの買電量に関する報知内容の報知判定条件が、判定値＝５００Ｗ、判定方向＝立下り方向と設定されている場合、報知判定部３ａでは、消費電力（電源からの買電量）の計測値が５００Ｗを下回ると、報知判定条件が成立したと判断する。また、フラグのリセット条件には、計測値が所定のリセット値を上記判定方向と逆方向に超えるという条件と、タイマ７で計時された現在時刻が所定のリセット期限に達するという条件があり、このリセット条件も判定条件管理部５に設定されている。下記の表１は判定条件管理部５に設定された判定値の一例を示し、複数種類の報知内容について、判定値と判定方向とリセット値とリセット期限が設定されている。尚、下記の表１に示した報知内容は一例であり、報知内容やその報知判定条件及びリセット条件は表１に記載のものに限定されず、使用用途に応じて適宜変更が可能である。また下記の表１ではリセット期限として時刻が設定されているが、リセット期限を日や日時として設定してもよい。
【００２８】
【表１】
0005639496.tif 000002
【００２９】
フラグ管理部６では、複数種類の報知内容の各々について、表示を許可するか否かの状態を表すフラグの状態を管理する。例えばフラグ管理部６では、ある報知内容について表示を許可する場合、この報知内容に対応したフラグの状態をＯＦＦに設定し、ある報知内容について表示を許可しない場合（表示を禁止する場合）、この報知内容に対応したフラグの状態をＯＮに設定する。またフラグ管理部６は、ある報知内容に対応したフラグをＯＮに設定している場合（表示を禁止している場合）に、判定条件管理部５に設定されたリセット条件が成立すると、フラグの状態をＯＦＦにリセットする。ここにおいて、リセット条件としては、電力利用情報取得部２の取得した利用情報（例えば消費電力の計測値）が、判定方向と逆方向にリセット値を超えた場合と、現在時刻がリセット期限に達した場合とがある。下記の表２は、フラグ管理部６で管理されているフラグの状態を示し、各々の報知内容についてフラグの状態が設定されている。
【００３０】
【表２】
0005639496.tif 000003
【００３１】
次に、この電力管理装置１の動作を図３のフローチャートに基づいて説明する。以下では、電源から利用した消費電力の計測値（瞬時値）が判定値（例えば５００Ｗ）を下回った場合に、「もう少しで買電がゼロ」という報知内容（以下では報知内容Ｍ１と言う。）を表示装置４０に表示させる場合を例にして説明を行う。尚、判定条件管理部５には、「もう少しで買電がゼロ」という報知内容Ｍ１について判定値が５００Ｗ、判定方向が立下り方向、リセット値が３０００Ｗ、リセット期限が毎日０：００と設定されている。
【００３２】
宅内の負荷によって商用交流電源ＡＣから供給された電力が消費されると、この消費電力が電力計測部１１ａによって計測される。電力利用情報取得部２は、所定の時間間隔で電力計測部１１ａから電力利用に関わる情報（消費電力の計測値、太陽電池３０の発電量、蓄電池３１の蓄電残量など）を取得し、取得した情報をメモリに記憶させる（図３のＳ１）。電力利用情報取得部２によって消費電力の計測値（瞬時値）が取得されると、先ずフラグ管理部６は、フラグのリセット条件が成立したか否かを判定する（Ｓ２）。ここで、報知内容Ｍ１に対応したフラグのリセット条件は、消費電力の瞬時値がリセット値（＝３０００Ｗ）を上回るか、或いは、現在時刻が０：００になるかの２つである。したがって、フラグ管理部６では、消費電力の瞬時値がリセット値（３０００Ｗ）を超えるか否かの判定を行うとともに、現在時刻が０：００に達したか否かの判定を行う。そして、少なくとも何れか一方のリセット条件が成立すれば（Ｓ２のＹｅｓ）、フラグ管理部６はフラグの値をリセットし、フラグの状態をＯＦＦにする（Ｓ３）。
【００３３】
一方、フラグのリセット条件が成立していなければ（Ｓ２のＮｏ）、報知判定部３ａが、消費電力の瞬時値と判定値との高低を比較する（Ｓ４）。ここで、消費電力の瞬時値が判定値以上であれば（Ｓ４のＮｏ）、報知内容Ｍ１の報知判定条件が未成立のため、電力管理装置１はＳ１の処理に戻って、上記の処理を繰り返す。消費電力の瞬時値が判定値未満、すなわち消費電力の瞬時値が判定値を下回っていれば（Ｓ４のＹｅｓ）、報知判定部３ａは、報知内容Ｍ１の報知判定条件が成立したと判定する。そして、報知判定部３ａは、当該報知内容に対応したフラグの値をフラグ管理部６から読み込み、フラグがＯＦＦであるか否かを判定する（Ｓ５）。ここで、フラグの状態がＯＦＦであれば（Ｓ５のＹｅｓ）、報知判定部３ａは、表示データ出力部４に報知命令を出力する。表示データ出力部４は、報知判定部３ａから報知命令が入力されると、報知内容Ｍ１の表示データを表示装置４０に出力し、報知内容Ｍ１を表示装置４０に表示させる（Ｓ６）。その後、電力管理装置１ではフラグ管理部６が、報知内容Ｍ１に対応したフラグをＯＮにセットして（Ｓ７）、報知内容Ｍ１の表示を禁止した後、Ｓ１の処理に戻って、上記の処理を繰り返す。また、Ｓ５の判定で、フラグの状態がＯＮであれば（Ｓ５のＮｏ）、電力管理装置１はＳ１の処理に戻って、上記の処理を繰り返す。尚、本実施形態は、一定時間が経過する毎に報知内容を報知するか否かを判定するポーリング型であるが、予め設定されたイベントの発生をトリガとして、報知内容を報知するか否かの判定を行うイベントドリブン型でもよい。
【００３４】
図４は上述の表示動作に対応したタイミングチャートであり、時刻ｔ０から時刻ｔ１までは報知内容Ｍ１に対応するフラグが前回リセットされてから、まだ報知内容Ｍ１の表示が行われておらず、フラグの状態はＯＦＦになっている。電力管理装置１は上述した図３のフローチャートにしたがって判定動作を行っており、時刻ｔ１において消費電力が判定値の５００Ｗを下回ると、報知判定部３ａは報知内容Ｍ１の報知判定条件が成立したと判断する。この時、報知判定部３ａは、フラグの値がＯＦＦであるか否かの判定を行い、フラグの値がオフであることから、表示データ出力部４に報知命令を出力して、表示装置４０に報知内容Ｍ１の表示を行わせる。また報知判定部３ａが表示データ出力部４に報知命令を出力したことから、フラグ管理部６がフラグの値をＯＮにセットし、報知内容Ｍ１の報知動作を禁止する。その後、消費電力が判定値を一旦上回った後、時刻ｔ２において消費電力が判定値を下回っているが、フラグがＯＮにセットされているので、報知判定部３ａは表示データ出力部４に報知命令を出力しない。そして、宅内の負荷による消費電力が増加し、時刻ｔ３において消費電力がリセット値を上回ると、フラグ管理部６はリセット条件が成立したと判断して、フラグの値をリセットし、フラグの状態をＯＦＦにし、報知内容Ｍ１の報知動作を許可する。その後、時刻ｔ４において消費電力の瞬時値が判定値を下回ると、報知判定部３ａは報知判定条件が成立したと判断し、フラグの値もＯＦＦであるから、表示データ出力部４に報知命令を出力し、表示装置４０に報知内容Ｍ１の表示を行わせる。
【００３５】
以上説明したように、本実施形態では、複数種類の報知内容の各々について、表示を許可するか否かを示すフラグを設け、報知内容が一度表示されると、対応するフラグの状態をＯＮにセットして、表示を禁止する。そして、フラグがＯＮにセットされると、計測値がリセット値を判定方向と逆方向に超えるか、又は、現在時刻がリセット期限に達するまで、フラグの値がＯＦＦのままとなり、報知内容の表示が禁止される。したがって、ある報知内容が一旦表示されると、計測値がリセット値を判定方向と逆方向に超えるか、リセット期限が来るまでの間、報知判定条件が成立しても同じ報知内容が繰り返し表示されることはなく、ユーザが煩わしさを感じることはない。また、同じ報知内容が短時間に何度も繰り返し報知されると、ユーザーが報知内容に慣れてしまう可能性があるが、本実施形態では同じ報知内容が短期間に繰り返されることはなく、報知内容がユーザに与えるアピール度が低下してしまうのを防止できる。
【００３６】
ところで、図５に示すように、上述した電力管理装置１に、リセット条件を自動的に決定して判定条件管理部５に設定する判定条件設定部８を追加してもよい。
【００３７】
電力利用情報取得部２では、取得した利用情報を管理テーブルに時系列にしたがって記憶している。下記の表３は管理テーブルの一例であり、例えば４回路の分岐回路ＡＣ１，ＡＣ２，ＡＣ３，ＡＣ４について各日の平均瞬時電力を求めて、管理テーブルに記憶させている。尚、電力利用情報取得部２では、分岐回路毎に、例えば消費電力（瞬時電力）を１時間おきに計測し、２４時間分の計測結果の平均値を求めることで、各日の平均瞬時電力を求めている。
【００３８】
【表３】
0005639496.tif 000004
【００３９】
判定条件設定部８は、電力利用情報取得部２の管理テーブルを参照し、各報知内容に対して、分岐回路毎に適切なリセット値を決定し、判定条件管理部５に設定する。判定条件設定部８には、リセット値を決定するために用いるパラメータＰ１（例えば５００Ｗ）が予め設定されている。判定条件設定部８は、毎日所定の時刻（例えば０：００）になると管理テーブルから各分岐回路の前日の平均瞬時電力Ｐ０を読み出し、各分岐回路の平均瞬時電力Ｐ０にパラメータＰ１をそれぞれ加算することで、各分岐回路のリセット値を決定している。例えば２０１０年９月２日に分岐回路ＡＣ１のリセット値を決定する場合、判定条件設定部８は、管理テーブルから前日（２０１０年９月１日）の平均瞬時電力Ｐ０（＝５０Ｗ）を読み込み、前日の平均瞬時電力Ｐ０に上記のパラメータＰ１を加算した値（５０＋５００＝５５０Ｗ）を当日のリセット値として決定する。そして、判定条件設定部８は、上述の演算によって決定したリセット値（＝５５０Ｗ）を、判定条件管理部５に設定しており、管理テーブルに記憶された過去の利用電力情報に基づいて、実際の利用状況に応じた最適な値にリセット値を設定できる。
【００４０】
尚、判定条件設定部８は、管理テーブルから読み込んだ前日の平均瞬時電力にパラメータを加算してリセット値を求めているが、加算に限らず、管理テーブルに記憶された過去の電力利用情報とパラメータとの四則演算によりリセット値を決定してもよい。例えば前日の平均瞬時電力にパラメータを乗算してリセット値を求めても良いし、所定のパラメータから前日の平均瞬時電力を減算したり、所定のパラメータを前日の平均瞬時電力で除算することでリセット値を決定してもよい。また、判定条件設定部８では、管理テーブルから所定期間の平均瞬時電力を読み込み、平均瞬時電力の変化傾向に合わせてリセット値を増加又は減少させることにより、リセット条件を決定してもよい。
【００４１】
ところで、宅内で利用される電力には、待機電力や、必須の生活活動で利用される電力（例えば冷蔵庫の消費電力）など、ユーザが削減できない電力（以下、この電力を常時利用電力という。）が含まれている。そのため、電源から利用した消費電力から、常時利用電力を差し引いた電力が、ユーザの削減努力によって削減可能な電力（以下、この電力を削減可能電力と言う。）となる。ここで、全体の消費電力を判定値と比較し、消費電力が判定値を下回れば、「あと少しで買電ゼロ」との報知内容を出力する場合、全体の消費電力には常時利用電力が含まれるため、ユーザがいくら努力しても、買電電力をゼロにすることはできない。したがって、ユーザが対策可能な電力分（上記の削減可能電力）と報知内容に対応する判定値を比較することが好ましく、報知内容に対する報知判定条件やフラグのリセット条件は、削減可能電力に対して設定することが好ましい。
【００４２】
電力利用情報取得部２では、上述のように、電源から利用した消費電力の情報を管理テーブルに記憶させている。下記の表４は管理テーブルの一例であり、分岐回路毎に全体の消費電力を求めている。ここでは、１時間毎に消費電力（瞬時電力）を測定し、２４時間分の消費電力（瞬時値）の平均を求めることで、各日の平均瞬時電力を求めている。また電力利用情報取得部２では、各分岐回路で定常的に使用されている電力を、待機電力や定常的に使用される負荷の消費電力と判断し、この部分の電力を常時利用電力とし、各日の常時利用電力を管理テーブルに保管する。
【００４３】
【表４】
0005639496.tif 000005
【００４４】
判定条件設定部８では、電力利用情報取得部２の管理テーブルを参照し、過去の電力利用情報をもとに報知判定条件やリセット条件を決定するのであるが、全体の消費電力ではなく、常時利用電力を除いた電力に基づいて報知判定条件やリセット条件を決定する。例えば２０１０年９月２日に分岐回路ＡＣ１について報知判定条件やリセット条件を決定する場合、判定条件設定部８は管理テーブルから前日（９月１日）の電力利用情報を読み込む。そして、判定条件設定部８は、全体の消費電力から常時利用電力を差し引いて削減可能電力を求めており、全体の消費電力は５０Ｗ、常時利用電力は５Ｗであるから、削減可能電力は４５Ｗと求められる。判定条件設定部８は、このようにして求めた削減可能電力（例えば４５Ｗ）をもとに、報知動作を行うか否かを判定する判定値や、フラグをリセットするか否かを判定するリセット値を決定する。図６は分岐回路ＡＣ１の消費電力を示し、全体の平均消費電力が５０Ｗ、常時利用電力が５Ｗであるから、その差分の４５Ｗを基準として、報知判定に用いる判定値及びリセット値が決定される。したがって、ユーザの削減努力によって削減可能な電力分（削減可能電力）に対して判定値やリセット値を設定できるから、ユーザの対策によって表示装置４０に提示された目標を達成することが可能となり、ユーザが意欲をもって対策に取り組むことができる。
【００４５】
尚、本実施形態では、フラグのリセット条件として、消費電力の計測値が所定のリセット値を判定方向と逆方向に超えるという条件と、タイマ７の計時した現在時刻がリセット期限に達するという条件の両方を用いているが、何れか一方の条件のみを用いてもよい。下記の表５は判定条件管理部５に設定された報知判定条件を示し、「もう少しで買電ゼロ」「買電がゼロとなった」という報知内容に対しては、リセット条件としてリセット値のみが設定され、リセット値を超えるまでは報知動作が停止される。「蓄電池の残量が所定値を下回った」「太陽光発電を開始した」という報知内容に対してはリセット条件としてリセット期限のみが設定されており、リセット期限が来るまでの間に１回しか表示が行われない。ここでは、リセット期限が毎日０：００に設定されているので、毎日０：００にフラグがリセットされ、１日に２回以上表示が行われることはない。
【００４６】
【表５】
0005639496.tif 000006
【００４７】
また、本実施形態では、時間が関係するリセット条件として、現在時刻がリセット期限に達したか否かという条件を用いているが、この条件の代わりに、フラグの状態がリセットされてから所定のリセット期間が経過したか否かという条件を用いてもよい。また、時間が関係するリセット条件として、現在時刻がリセット期限に達したか否かという条件と、フラグがリセットされてから所定のリセット期間が経過したか否かという条件を両方共に用い、何れかの条件が成立すればフラグの値をリセットしてもよい。
【００４８】
尚、本実施形態では、報知判定部３ａは、計測値が判定値を超えるか否かで、報知するか否かの判定を行っているが、消費電力の利用情報をもとに、ある状態が所定時間以上経過すると報知動作を行うものでもよい。
【００４９】
また、本実施形態では、報知内容を表示装置４０の画面上に表示することで報知動作を行っているが、報知動作を文字や画像を表示する動作に限定する趣旨のものではなく、報知内容を音声で報知するようにしてもよいし、音声による報知と文字や画像による報知を両方共に行うようにしてもよい。
【符号の説明】
【００５０】
１  電力管理装置
２  電力利用情報取得部
３  判定部
３ａ  報知判定部
３ｂ  フラグ判定部
４  表示データ出力部（出力部）
５  判定条件管理部
６  フラグ管理部
７  タイマ
４０  表示装置
【図１】
0005639496.tif 000007
【図２】
0005639496.tif 000008
【図３】
0005639496.tif 000009
【図４】
0005639496.tif 000010
【図５】
0005639496.tif 000011
【図６】
0005639496.tif 000012
【図７】
0005639496.tif 000013